(57)【特許請求の範囲】
【請求項１】
多数の刃孔を備えた外刃とこの外刃内面に摺接する内刃とからなる主刃の近傍に刃先を主刃から遠ざかる方向に向けたトリマー刃を配して、トリマー刃と主刃とを同時に肌に接触させることができるようにした電気かみそりにおいて、フロート自在としたトリマー刃における刃部材の上面を覆っている刃カバー上に弾性を有した毛起こし部材を突設しているとともに、トリマー刃の刃先と主刃との間に位置する上記毛起こし部材はトリマー刃の刃先の長手方向に長いリブが複数状並んでいるものとして形成されていることを特徴とする電気かみそり。
【請求項２】
毛起こし部材はエラストマー製であって成形品からなる刃カバーに固定されていることを特徴とする請求項１記載の電気かみそり。
【請求項３】
刃カバーと毛起こし部材とは厚み方向において嵌合していることを特徴とする請求項２記載の電気かみそり。
【請求項４】
主刃の頂上部に対して毛起こし部材の上端が±２ｍｍの範囲内の高さに位置していることを特徴とする請求項１〜３のいずれかの項に記載の電気かみそり。
【発明の詳細な説明】
【０００１】
【発明の属する技術分野】
本発明は電気かみそり、特に粗剃りのためのトリマー刃と仕上げ剃りのための主刃とが同時に肌に接するようにしている電気かみそりに関するものである。
【０００２】
【従来の技術】
粗剃りのためのトリマー刃と仕上げ剃りのための主刃とが同時に肌に接するようにしている電気かみそりでは、トリマー刃による長い毛の切断と、トリマー刃によって短くされた毛を主刃でさらに短くすることとを同時に行うことができるために髭を含む体毛を剃ることを迅速に行うことができる。
【０００３】
しかし、トリマー刃と主刃とを同時に肌に接触させることができるようにした場合、刃先が主刃から遠ざかる方向に向いているトリマー刃の上端には通常刃カバーが位置しており、トリマー刃の肌に接する刃先部と同じく肌に接する主刃との間には上記刃カバーがやはり肌に接した状態で位置している。この刃カバーは、肌に沿って電気かみそりを動かす時、毛を寝かせてしまことが多々あって、主刃への毛の導入効率の低下を招いている。
【０００４】
このために特開平７−１４４０７４号公報に示されたものでは、トリマー刃の刃先部と主刃との間に位置しているトリマー刃の刃カバーの上面に、トリマー刃の刃先部と主刃とをつなぐ方向に走る溝を多数設けて、毛が溝を通るようにすることで毛を寝かせてしまう事態の発生を抑制している。
【０００５】
【発明が解決しようとする課題】
刃カバーに上記溝を設けたものでは、確かに刃カバーによって寝てしまうことになる毛が減少し、これに伴って主刃に導入することができる毛が増えるが、刃カバーにおける溝は毛の通り道を確保するものでしかなく、寝ている毛を起こすことはできない。このために剃り残しを減らすことはできないものであった。
【０００６】
本発明はこのような点に鑑み為されたものであり、その目的とするところは剃り残しが生じにくくて早く仕上げることができる電気かみそりを提供するにある。
【０００７】
【課題を解決するための手段】
しかして本発明は、多数の刃孔を備えた外刃とこの外刃内面に摺接する内刃とからなる主刃の近傍に刃先を主刃から遠ざかる方向に向けたトリマー刃を配して、トリマー刃と主刃とを同時に肌に接触させることができるようにした電気かみそりにおいて、フロート自在としたトリマー刃における刃部材の上面を覆っている刃カバー上に弾性を有した毛起こし部材を突設しているとともに、トリマー刃の刃先と主刃との間に位置する上記毛起こし部材はトリマー刃の刃先の長手方向に長いリブが複数状並んでいるものとして形成されていることに特徴を有している。本発明によれば、電気かみそりを肌に沿って動かす時、刃カバー上の毛起こし部材が毛を起こすことで主刃への毛の導入効率を高める。
【０００８】
この毛起こし部材はエラストマー製であって成形品からなる刃カバーに固定されていることが好ましく、この場合、刃カバーと毛起こし部材とは厚み方向において嵌合していることが好ましい。
また主刃の頂上部に対して毛起こし部材の上端を±２ｍｍの範囲内の高さに位置させておくことが好ましい。
【０００９】
【発明の実施の形態】
本体５の上端に刃ヘッド１と、刃ヘッド１の両隣に位置する一対のトリマー刃タイプの刃ヘッド２，２とを平行並列に配設した図示の電気かみそりは、これら３個の刃ヘッド２，１，２がモータ４によって同時に駆動されるものとなっている。図２中の８はスイッチ部、９は充電器である。
【００１０】
上記刃ヘッド１，２のうち、主刃である刃ヘッド１は、金属薄板から形成されるとともに多数の刃孔が形成されている外刃１０と、この外刃１０をヒートシールによって保持している矩形枠状の内カセット１１と、外刃１０内面に摺接する内刃１２とからなるもので、内カセット１１は図５に示すようにその両端面に弾性片１３を備えている。
【００１１】
この刃ヘッド１は、外カセット３を介して本体５に装着される。外カセット３は、図５に示すように合成樹脂の成形によって矩形枠状に形成されたもので、その長手方向の両端内面の幅方向中央部に受け片３０を、両側にガイド溝３１を備えており、また幅方向の内面にはガイド溝３２とばね受け３３とを備えている。そして上記刃ヘッド１の外刃１０を備えた内カセット１１は、外カセット３の下方開口から外カセット３内に納められて、弾性片１３が受け片３０の上方側に位置することで抜け止めされるとともに外カセット３に対して上下の小範囲内で可動となる。内カセット１１に設けた突起１５は外カセット３から内カセット１１を取り外す時に指をかけるためのものである。
【００１２】
トリマー刃タイプの２つの刃ヘッド２は、図６に示すように夫々トリマー基台２０とトリマー基台２０の上面に嵌合突起２０１との嵌合で固定される固定刃２１と、この固定刃２１の上面側に配されるとともに嵌合突起２０１によってスライド自在にガイドされる可動刃２２と、トリマー基台２０に連結されてそのばね片２３１によって可動刃２２を固定刃２１側に押さえる押さえばね２３と、押さえばね２３の上面側を覆ってトリマー基台２０に連結される刃カバー２４と、上端が可動刃２２に係合するトリマー駆動子２５と、トリマー基台２０に装着される肌当たりガイド２６と、フロートばね２７とからなるもので、トリマー駆動子２５はトリマー基台２０に設けられた軸２０５によって上下方向中央部が軸支される。図中２０６はトリマー駆動子２５との係合でトリマー駆動子２５の外れを防止するフック、２０７は刃カバー２４の結合孔２４０に差し込まれて刃カバー２４を固定するピンである。
【００１３】
上記肌当たりガイド２６は、トリマー基台２０に組つけられた時、その下端から突設された突片２６２がトリマー基台２０に設けられた弾性を有する押し上げ片２０２の上面に載り、両側から突設されたフック２６１がトリマー基台２０の側面に設けられた係合凹所２０３の上部壁の下面に接することでトリマー基台２０に一体化される。
【００１４】
そして２つの刃ヘッド２，２も上記外カセット３内に配設されるのであるが、この時、トリマー基台２０とガイド溝３２との係合並びに肌当たりガイド２６０の上記フック２６１とガイド溝３１との係合によって、外カセット３に対して上下の小範囲においてスライド自在とされる。また肌当たりガイド２６の下面と外カセット３の上記ばね受け３３との間に配されたフロートばね２７によって刃ヘッド２は上方へ付勢される。
【００１５】
刃ヘッド１における内刃１２は、図１に示すように継手５１を介して往復駆動用の駆動子５０に連結されることで往復駆動されるとともに押し上げばね５３によって上方へ付勢されて外刃１０の内面に接する。そして刃ヘッド１も該押し上げばね５３のばね力によってフロート自在となる。上記継手５１は各刃ヘッド２のトリマー駆動子２５の下端部との係合部も有していることから、刃ヘッド１の内刃１２が往復駆動される時、トリマー駆動子２５を介して刃ヘッド２の可動刃２２も往復駆動される。
【００１６】
また刃ヘッド２は、上記フロートばね２７のばね力でフロートしており、刃ヘッド２を肌に押し付けたならば、図９に示すように刃ヘッド２がフロートばね２７に抗して沈むのであるが、刃ヘッド１の内カセット１１から突設した図５に示す突起１４が刃ヘッド２のトリマー基台２０に設けられた下方に開放された係合溝２０８内に位置していることから、刃ヘッド２の沈み動作の途中からは、刃ヘッド１も連動して沈むようになっている。
【００１７】
更に肌当たりガイド２６は、上述のように突片２６２がトリマー基台２０の押し上げ片２０２の上面に載り、フック２６１がトリマー基台２０の係合凹所２０３の上部壁の下面に接しているためにトリマー基台２０に一体化された状態となっており、肌当たりガイド２６が上下動を行う時、トリマー基台２０も同時に上下動を行い、更にトリマー基台２０が上下動を行う時、肌当たりガイド２６も上下動を行う。つまり肌当たりガイド２６とトリマー基台２０とはフロートばね２７によるばね力を受けて同時にフロートするようになっている。
【００１８】
このように形成されたトリマー刃タイプの刃ヘッド２は、その刃カバー２４の上面で且つ刃ヘッド１側の部分に、エラストマー樹脂製の複数条のリブ８０からなる弾性を備えた毛起こし部材８が取り付けられている。各リブ８０が刃ヘッド２の刃先や刃ヘッド１の長手方向と平行に並んでいる髭起こし部材８は、図９に示すように、その上端が刃ヘッド１の上端の高さＨとほぼ同じところに位置しており、このために刃ヘッド１，２を肌Ｓに押し当てた時、毛起こし部材８も肌Ｓに接するものとなっている。
【００１９】
トリマー刃タイプの粗剃り用の刃ヘッド２で毛を切断した後、仕上げ剃り用の主刃である刃ヘッド１で毛を切断するように電気かみそりを動かす時、刃ヘッド２の刃先で毛が切断された部分の肌Ｓは、毛起こし部材８に接してから刃ヘッド１に接するものであり、この時、複数状のリブ８０で構成された弾性を有する毛起こし部材８は、毛に引っ掛かることで毛を起こすとともに、刃ヘッド１との間で肌を引き伸ばすことによって毛を立たせる。寝ている毛であっても刃ヘッド１部分が接する直前に毛起こし部材８が起こしてしまうものであり、毛起こし部材８の部分を通過して再度寝ようとしても、寝てしまう前に刃ヘッド１で捕らえられて切断されるとともに、捕らえられる際の毛の角度は刃ヘッド１の外刃１０に最も導入されやすい角度となっているものであり、刃ヘッド１への毛の導入効率が毛起こし部材８の存在によって大きく向上するものである。
【００２０】
特に図示例のものでは、毛起こし部材８における肌Ｓとの接触部を細くて撓みやすい複数条のリブ８０で構成しているために、肌Ｓに押し当てた時、肌Ｓの凹凸にもかかわらず、毛起こし部材８はその長手方向全長にわたって確実に肌Ｓに接触するものであり、毛起こし部材８が設けられた刃ヘッド２がフロート自在となっていることもあって、毛起こし部材８が適切な力で肌Ｓに接して毛を起こすことが確実になされるものである。
【００２１】
毛起こし部材８の刃カバー２４への取り付けは熱溶着で行っているが、この時、刃カバー２４に毛起こし部材８の基部が嵌まり込むようにしておくと、毛起こし部材８が刃カバー２４から外れにくくなって好ましい。
また毛起こし部材８の上端が主刃である刃ヘッド１の頂上位置Ｈとほぼ同じ高さとなるようにしているが、これは刃ヘッド１の頂上位置Ｈよりも毛起こし部材８の上端位置が高すぎると、毛起こし部材８によって刃ヘッド１と肌Ｓとの接触圧を十分に確保することができず、これに伴って毛を短く剃ることができなくなるからであり、また刃ヘッド１の頂上位置Ｈよりも毛起こし部材８の上端位置が低すぎると、毛起こし部材８による毛起こし効果を十分に得られなくなってしまうからであって、上記Ｈ位置の上下２ｍｍ以内に毛起こし部材８の上端位置を定めておくことが好ましい。図１０は毛起こし部材８の高さ位置によって切断した毛の短さロと肌当たりイとがどのように変化するかを示している。
【００２２】
また、毛起こし部材８をリブ８０で構成する場合、リブ８０の本数が切断した毛の短さロと肌当たりイとについてどのような影響を及ぼすかを調べると、図１１に示すようになった。リブ８０の本数が２本以上であると良好な結果を得ることができる。
ところで、前記肌当たりガイド２６は腋のような柔らかい肌に押し当てた時にも、肌がトリマー刃タイプの刃ヘッド２の可動刃２２や固定刃２１の刃先内に入り込んで傷ついてしまうことがないようにするために設けたものであり、刃ヘッド２と肌当たりガイド２６とは一体化されていると説明したが、一方の刃ヘッド２は外カセット３の外面に配したスライド釦７の操作によって肌当たりガイド２６とトリマー基台２０とが切り離されてトリマー基台２０側の部材のみを上方へ移動させることができるようになっている。
【００２３】
この点について説明すると、スライド釦７は図８に示すように背方に突出する２対のフック７１，７２を備えているとともに中央にロック釦７０が装着されたもので、これらフック７１，７２とロック釦７０とが外カセット３に設けられた総計５本の上下方向に長い長孔３５，３６，３７に挿通されて外カセット３外面に上下にスライド自在に装着される。そしてロック釦７０はスライド釦７と外カセット３との間に挟まれる形で保持されるとともにスライド釦７背面の非円形凹所７３との嵌合によって回り止めがなされ、さらには先端をトリマー基台２０に設けられた弾性片２０４に当接させている。
【００２４】
今、スライド釦７が下方位置にある時には、ロック釦７０における外カセット３内部に位置する部分が、外カセット３内面で長孔３５の両脇に設けられた突起３８の下方に位置しており、このためにスライド釦７を上方へ動かそうとしても、ロック釦７０と突起３８との当接によって妨げられる。また、この状態ではスライド釦７における両フック７１，７２は刃ヘッド２の上下動を妨げることはなく、このために肌当たりガイド３を含む刃ヘッド２のフロートが自在となっている。
【００２５】
しかし、ロック釦７０を押し込めば、外カセット３の突起３８とロック釦７０との係合が外れるためにスライド釦７を上方へ動かすことが可能となる。また押し込まれたロック釦７０は弾性片２０４を背方へと押してスライド釦７のフック７２の直上に弾性片２０４における係合突起２０９を位置させるために、スライド釦７を上方へ動かせば、トリマー基台２０も押されて上方へ移動する。
【００２６】
そしてこのようにトリマー基台２０が上動する時、外カセット３の内面に設けられた図８に示す解除用突起３９に押し上げ片２０２が乗り上げて背方に撓むために、押し上げ片２０２の上に載っていた肌当たりガイド２６の突片２６２から押し上げ片２０２が外れ、トリマー基台２０の上方への動きに肌当たりガイド２６は追従せず、刃ヘッド２における肌当たりガイド２６を除く部材がスライド釦７に連動して上方へ移動する。なお、この状態においてもトリマー駆動子２５は継手５１と係合して駆動子５０からの往復動を可動刃２２に伝えることができるようになっている。
【００２７】
スライド釦７からそのスライド範囲の上端位置で指を離せば、ロック釦７０が弾性片２０４による付勢を受けて復帰し、前記突起３８の上方にロック釦７０が位置するために、スライド釦７を下方に動かすことができない状態となる。
刃ヘッド２を元の状態に戻すには、再度ロック釦７０を押しつつスライド釦７を下げればよい。ロック釦７０の突起３８のとの係合を外した状態でスライド釦７を下方へ動かせば、この時はスライド釦７のフック７１が押し上げ片２０２の根元部分を押し下げることでトリマー基台２０を下方へ移動させる。またトリマー基台２０の下降時、押し上げ片２０２は外カセット３内面の解除用突起３９に乗り上げて背方に撓むことで、肌当たりガイド２６の先端部は突片２６２を乗り越えて突片２６２の下方側に移り、再度肌当たりガイド２６とトリマー基台２０とが一体化される。
【００２８】
図１２及び図１３に示したものは、トリマー刃タイプの刃ヘッド２を、主刃である刃ヘッド１の片側にのみ設けたものを示している。
【００２９】
【発明の効果】
以上のように本発明においては、肌に沿って動かすことで粗剃りの後に毛を主刃に導入するにあたり、トリマー刃の刃カバー上にあってトリマー刃の刃先と主刃との間に毛起こし部材があるために、刃カバーが肌に接して毛を寝かしてしまうことがない上に、毛起こし部材はトリマー刃の刃先の長手方向に長いリブが複数状並んでいるものとして形成されているために、寝ている毛を積極的に起こしてしまうことができるものであり、このために主刃への毛の導入効率が高く、剃り残しが生じにくくて早く仕上げることができるものであり、また毛起こし部材が複数条のリブで形成された弾性を有するものであるために、肌当たりの点や毛を短く剃ることができる点でも好ましい結果を得ることができる。また弾性を備えた毛起こし部材が刃カバー上に設けられたトリマー刃をフロート自在としているために、肌の凹凸にかかわらず毛起こし部材による毛起こし効果を確保することができる。
【００３０】
そして毛起こし部材をエラストマー製であって成形品からなる刃カバーに固定されたものとしておくと、その製造を刃カバーと毛起こし部材との成形によって行うことができるものであり、この時、刃カバーと毛起こし部材とを厚み方向において嵌合させておくと、両者の結合強度が高くて毛起こし部材が剥がれにくくなる。
【００３１】
また主刃の頂上部に対して毛起こし部材の上端が±２ｍｍの範囲内に位置させておくと、肌当たりの点や毛を短く剃ることができる点で好ましい結果を得ることができる。
【図面の簡単な説明】
【図１】本発明の実施の形態の一例の部分縦断面図である。
【図２】同上の斜視図である。
【図３】同上の平面図である。
【図４】同上の階段横断面図である。
【図５】同上の刃ヘッドと外カセットとスライド釦の分解斜視図である。
【図６】同上のトリマー刃の分解斜視図である。
【図７】同上の刃カバーと毛起こし部材の斜視図である。
【図８】同上の外カセットとスライド釦の分解斜視図である。
【図９】同上のフロート時の状態を示す部分縦断面図である。
【図１０】同上の毛起こし部材の高さに応じた特性変化を示す説明図である。
【図１１】同上の毛起こし部材のリブの本数に応じた特性変化を示す説明図である。
【図１２】同上の他例の部分縦断面図である。
【図１３】同上の平面図である。
【符号の説明】
１  刃ヘッド（主刃）
２  刃ヘッド（トリマー刃）
８  肌伸ばし部材
２４  刃カバー
【図１】
0003814872.tif 000002
【図２】
0003814872.tif 000003
【図３】
0003814872.tif 000004
【図４】
0003814872.tif 000005
【図５】
0003814872.tif 000006
【図６】
0003814872.tif 000007
【図７】
0003814872.tif 000008
【図８】
0003814872.tif 000009
【図９】
0003814872.tif 000010
【図１０】
0003814872.tif 000011
【図１１】
0003814872.tif 000012
【図１２】
0003814872.tif 000013
【図１３】
0003814872.tif 000014